(57)【要約】【課題】電源オン時の供給電圧には影響を与えることなく、スタンバイ時の待機消費電力を抑制することができる電源回路を提供する。【解決手段】トランス３３を介して二次側に伝達された交流をコンデンサＣｂにて平滑化して二次側電圧Ｖｂを出力する平滑回路３４と、一端が二次側電圧Ｖｂの出力ラインＬｖｂに接続され且つ他端が二次側電圧Ｖｂに基づいて作動するトランジスタ３５ａに接続される発光ダイオードＬＥＤ１を有するフォトカプラ３５ｂを介して二次側電圧Ｖｂに基づくフィードバック信号を一次側へ出力するフィードバック回路３５と、所定の二次側電圧Ｖｂが得られるようにフィードバック信号に基づいてスイッチングすることにより一次側電圧Ｖａを制御するスイッチング回路３６とを備える電源回路１９において、スタンバイ時のみ二次側電圧Ｖｂの出力ラインＬｖｂを抵抗Ｒ１を介してグランドラインＧＮＤに接続するトランジスタ３７とを備える。【選択図】図３
2009050115.tif 000002
【特許請求の範囲】
【請求項１】
一次コイルに入力された一次側電圧を二次コイルにて所定の電圧に変換して二次側に交流を伝達するトランスと、
上記二次側に伝達された交流をコンデンサにて平滑化して二次側電圧を出力する平滑回路と、
一端が上記二次側電圧の出力ラインに接続され且つ他端が該二次側電圧に基づいて作動するトランジスタに接続される発光素子を有するフォトカプラを介して該二次側電圧に基づくフィードバック信号を一次側へ出力するフィードバック回路と、
所定の二次側電圧が得られるように上記フィードバック信号に基づいてスイッチングすることにより上記一次側電圧を制御するスイッチング回路と、
を備える電源回路において、
スタンバイ時のみ、上記二次側電圧の出力ラインを抵抗を介して上記二次側電圧よりも電圧が低い低圧ラインに接続するスイッチ素子を備えることを特徴とする電源回路。
【請求項２】
上記スイッチ素子は、スタンバイ時にはローとされ且つ電源オン時にはハイとされる電源オン信号により作動させられることを特徴とする請求項１に記載の電源回路。
【請求項３】
上記スイッチ素子は、
エミッタが上記抵抗を介して上記二次側電圧の出力ラインに接続され、
コレクタが上記低圧ラインに接続され、
ベースには上記電源オン信号が入力されて、
上記電源オン信号がローとされるときにオン状態となるトランジスタであることを特徴とする請求項２に記載の電源回路。
【請求項４】
上記低圧ラインは、グランドラインであることを特徴とする請求項１乃至３のいずれかに記載の電源回路。
【請求項５】
スタンバイ時にはローとされ且つ電源オン時にはハイとされる電源オン信号が、薄型テレビジョン装置に備えられたマイコンにより出力され、
上記スイッチ素子は、
エミッタが上記抵抗を介して上記二次側電圧の出力ラインに接続され、
コレクタが上記低圧ラインとしてのグランドラインに接続され、
ベースには上記電源オン信号が入力されて、
上記電源オン信号がハイとされるときにオフ状態となる一方で、上記電源オン信号がローとされるときにオン状態となるように作動させられるトランジスタであり、
前記薄型テレビジョン装置に備えられることを特徴とする請求項１に記載の電源回路。 
【発明の詳細な説明】
【技術分野】
【０００１】
本発明は、フォトカプラを介して一次側へ出力された二次側電圧に基づくフィードバック信号に基づいて一次側電圧を制御して所定の二次側電圧を得る電源回路に関する。
【背景技術】
【０００２】
フォトカプラを介して一次側へ出力された二次側電圧に基づくフィードバック信号に基づいて一次側電圧を制御して所定の二次側電圧を得る電源回路がよく知られている。
【０００３】
例えば、図５は、従来の電源回路の概略の回路構成を例示する図である。図５において、電源回路１は部分共振電源回路であり、外部の例えば商用ＡＣ電源を整流ブリッジ２ａにて全波整流しコンデンサ２ｂにて平滑化して一次側電圧Ｖａを出力する整流回路２と、一次コイル３ａに入力された一次側電圧Ｖａをそれぞれ所定の巻数比となった各二次コイル３ｂ、３ｃ、３ｄにて複数種類の所定の電圧に変換して二次側にエネルギー（交流）を伝達するトランス３と、上記二次側に伝達された交流を各ダイオードＤｂ、Ｄｃ、Ｄｄ及び各コンデンサＣｂ、Ｃｃ、Ｃｄにて整流及び平滑化して各二次側電圧Ｖｂ、Ｖｃ、Ｖｄを出力する平滑回路４と、フォトカプラ５ｂを介して例えば二次側電圧Ｖｂに基づくフィードバック信号を一次側へ出力するフィードバック回路５と、フィードバック回路５からのフィードバック信号に基づいて一次側電圧ＶａをＰＷＭ制御するスイッチング回路６とからなる。
【０００４】
フィードバック回路５は、例えばベースに二次側電圧Ｖｂの分割電圧が入力されて二次側電圧Ｖｂが所定電圧を超えるとオンさせられるトランジスタ５ａと、一端が二次側電圧Ｖｂの出力ラインＬｖｂに接続され且つ他端がトランジスタ５ａのコレクタに接続される発光ダイオードを有するフォトカプラ５ｂとを備え、二次側電圧Ｖｂが所定電圧を超えるとトランジスタ５ａがオンさせられてフォトカプラ５ｂを介してスイッチング回路６にフィードバック信号を出力する。
スイッチング回路６は、発振回路を備え、フィードバック回路５からのフィードバック信号に基づいて二次側電圧Ｖｂが適正電圧（所定電圧）となるようにＰＷＭ制御によるフィードバック制御を行う。
【０００５】
ここで、上述したような電源回路を備えてこの電源回路から各部に電圧が供給される装置において、スタンバイ時の消費電力（所謂、待機消費電力）は極力少なくすることが望まれる。尚、上記スタンバイ時とは、例えばメイン電源のオン状態であってマイコン等の一部の回路にのみ電源が供給されてユーザによる各種操作（例えば電源オン操作）の受付を待ち受けていたり予約プログラムに従って待機している等の待機状態である。また、電源オン時とは、例えばその他作動に必要な回路にも電源が供給されて画面に映像を表示したりスピーカから音声を出力している等の通常作動状態である。
【０００６】
例えば、特許文献１には、コンバータトランスの１次側に全波整流回路、平滑コンデンサ、およびスイッチング素子を制御する電流制御用ＩＣを備え、待機信号フィードバック用フォトカプラの２次側のダイオードからの待機信号電圧をフォトカプラの１次側のトランジスタで受信し、１次側の全波整流回路から半波電流制限用抵抗と半波整流電圧制限用ツェナーダイオードを介して、待機信号フィードバック用フォトカプラのトランジスタのコレクタに入力した半波整流電圧に同期させてスイッチング素子をオフすることにより、スイッチングロスが半減し待機電力が低減でき、待機時の省電力化を図ることができるスイッチング電源が開示されている。
【０００７】
また、特許文献２には、スイッチング電源回路において、スイッチ素子をオフ状態に保持する為に、コンデンサと抵抗との接続側にフォトカプラの受光部を接続し、スイッチ素子をオンするための起動電流がフォトカプラの受光部で吸収されてスイッチ素子をオンし続ける。そのため、２次側回路において出力電圧が低下するまで、発振を確実に停止する。従来回路においては、発振を停止するために用いたコンデンサが電力消費量を増加させる原因であったが、これに対して、コンデンサを使用せずに同様の発振の停止を行え、さらに、電力消費量を抑えることが可能であることが開示されている。
【特許文献１】特開２００２−０４４９４２号公報
【特許文献２】特開２００３−３０４６８６号公報
【発明の開示】
【発明が解決しようとする課題】
【０００８】
ところで、フォトカプラの発光素子の発光時には、スタンバイ時、電源オン時共に二次側電圧に見合った電流が流れる。当然、この電流が多いほど消費電力が大きくなる。そこで、更に待機消費電力を少なくするために、抵抗の定数変更等により発光時の電流を少なくすることが考えられる。しかしながら、特に電源オン時には二次側電圧を適正電圧に維持しなければならないため、待機消費電力を少なくするために回路定数を合わせ込むことには限界があった。
【０００９】
本発明は上記課題に鑑みて為されたもので、その目的とするところは、電源オン時の供給電圧には影響を与えることなく、スタンバイ時の待機消費電力を抑制することができる電源回路を提供することにある。
【課題を解決するための手段】
【００１０】
上記目的を達成するための請求項１に記載の発明は、一次コイルに入力された一次側電圧を二次コイルにて所定の電圧に変換して二次側に交流を伝達するトランスと、上記二次側に伝達された交流をコンデンサにて平滑化して二次側電圧を出力する平滑回路と、一端が上記二次側電圧の出力ラインに接続され且つ他端が該二次側電圧に基づいて作動するトランジスタに接続される発光素子を有するフォトカプラを介して該二次側電圧に基づくフィードバック信号を一次側へ出力するフィードバック回路と、所定の二次側電圧が得られるように上記フィードバック信号に基づいてスイッチングすることにより上記一次側電圧を制御するスイッチング回路と、を備える電源回路において、スタンバイ時のみ、上記二次側電圧の出力ラインを抵抗を介して上記二次側電圧よりも電圧が低い低圧ラインに接続するスイッチ素子を備える構成としてある。
【００１１】
上記のように構成された本発明の電源回路において、スイッチ素子により、スタンバイ時のみ、上記二次側電圧の出力ラインが抵抗を介して上記二次側電圧よりも電圧が低い低圧ラインに接続されることから、二次側電圧の出力ラインから低圧ラインへも電流が流れることになって二次側電圧の出力ラインからフォトカプラの発光素子へ流れる電流が抑制（制限）される。
【００１２】
また、好適には、上記スイッチ素子は、スタンバイ時にはローとされ且つ電源オン時にはハイとされる電源オン信号により作動させられる構成としても良い。このように構成されることで、電源オン信号により作動させられるスイッチ素子により、スタンバイ時のみ二次側電圧の出力ラインが低圧ラインに接続される。
【００１３】
また、好適には、上記スイッチ素子は、エミッタが上記抵抗を介して上記二次側電圧の出力ラインに接続され、コレクタが上記低圧ラインに接続され、ベースには上記電源オン信号が入力されて、上記電源オン信号がローとされるときにオン状態となるトランジスタである構成としても良い。このように構成されることで、二次側にトランジスタを追加するだけでスタンバイ時のみ二次側電圧の出力ラインからフォトカプラの発光素子へ流れる電流を抑制（制限）することが可能になる。
【００１４】
また、好適には、上記低圧ラインは、グランドラインである構成としても良い。このように構成されることで、二次側電圧の出力ラインから低圧ラインへも適切に電流を流すことができる。
【００１５】
また、好適には、スタンバイ時にはローとされ且つ電源オン時にはハイとされる電源オン信号が、薄型テレビジョン装置に備えられたマイコンにより出力され、上記スイッチ素子は、エミッタが上記抵抗を介して上記二次側電圧の出力ラインに接続され、コレクタが上記低圧ラインとしてのグランドラインに接続され、ベースには上記電源オン信号が入力されて、上記電源オン信号がハイとされるときにオフ状態となる一方で、上記電源オン信号がローとされるときにオン状態となるように作動させられるトランジスタであり、前記薄型テレビジョン装置に備えられる構成としても良い。このように構成されることで、薄型テレビジョン装置内の電源回路において、電源オン信号により作動させられるトランジスタを二次側に追加するだけで、スタンバイ時のみ二次側電圧の出力ラインが抵抗を介してグランドラインに適切に接続されて、二次側電圧の出力ラインから低圧ラインへも適切に電流を流すことができる。
【発明の効果】
【００１６】
以上説明したように、請求項１に記載の発明によれば、二次側電圧の出力ラインから低圧ラインへも電流が流れることになって二次側電圧の出力ラインからフォトカプラの発光素子へ流れる電流が抑制（制限）されるので、発光素子の給電電圧すなわち二次側電圧が下げられる。この結果、電源オン時の供給電圧には影響を与えることなく、スタンバイ時の待機消費電力を抑制することができる電源回路が提供される。
【００１７】
また、本発明によれば、電源オン信号により作動させられるスイッチ素子によりスタンバイ時のみ二次側電圧の出力ラインが低圧ラインに接続されるので、スタンバイ時のみ二次側電圧の出力ラインからフォトカプラの発光素子へ流れる電流を抑制（制限）することが可能になる。
【００１８】
また、本発明によれば、トランジスタを追加するだけでスタンバイ時のみ二次側電圧の出力ラインからフォトカプラの発光素子へ流れる電流を抑制（制限）することが可能になるので、比較的安価な構成で電源オン時の供給電圧には影響を与えることなく、スタンバイ時の待機消費電力を抑制することができる。
【００１９】
また、本発明によれば、二次側電圧の出力ラインから低圧ラインへも適切に電流を流すことができるので、発光素子の給電電圧が適切に下げられる。
【００２０】
また、本発明によれば、薄型テレビジョン装置内の電源回路において、電源オン信号により作動させられるトランジスタを二次側に追加するだけで、スタンバイ時のみ二次側電圧の出力ラインが抵抗を介してグランドラインに適切に接続されて、二次側電圧の出力ラインから低圧ラインへも適切に電流を流すことができるので、二次側電圧の出力ラインからフォトカプラの発光素子へ流れる電流を適切に抑制（制限）することが可能になり、比較的安価な構成で電源オン時の供給電圧には影響を与えることなく、スタンバイ時の待機消費電力を抑制することができる。
【発明を実施するための最良の形態】
【００２１】
以下、図面にもとづいて本発明の実施形態を説明する。
（１）電源回路を備える薄型テレビジョン装置の概略構成
（２）電源回路の概略回路構成
（３）まとめ
【００２２】
（１）電源回路を備える薄型テレビジョン装置の概略構成
以下、図１、２を参照して本発明が適用される電源回路１９を備えた薄型テレビジョン装置の一例である液晶テレビジョン装置１０の概略構成を説明する。図１は液晶テレビジョン装置１０を示す斜視図であり、図２は液晶テレビジョン装置１０のブロック構成図である。
尚、本実施形態では本発明が適用される薄型テレビジョン装置として液晶テレビジョン装置を例示するが、この実施形態に限定されるものではなく、映像を表示可能な表示装置であれば、例えばプラズマテレビやリアプロジェクションテレビや有機ＥＬテレビ等の薄型テレビジョン装置、テレビ機能を有しない液晶ディスプレイやプラズマディスプレイ等の薄型ディスプレイ、或いはスクリーンに映像を投影するプロジェクタ装置であれば、本発明の要旨を逸脱しない範囲で種々の変形実施の形態が可能である。また、薄型テレビジョン装置でなくとも、フォトカプラを介して一次側へ出力された二次側電圧に基づくフィードバック信号に基づいて一次側電圧を制御して所定の二次側電圧を得る電源回路を備えておれば本発明は適用され得る。例えば、上記電源回路を備えるオーディオ・ビジュアル機器等に本発明は適用され得る。
【００２３】
図１、図２において、液晶テレビジョン装置１０は、チューナ１１と、フロントエンド１２と、デコーダ１３と、ＯＳＤ回路１４と、音声出力部１５と、画像表示部１６と、リモコン受信部１７と、マイコン１８と、電源回路１９と、記憶部２０とを備えている。これらマイコン１８等の各部は、バス２１にて接続されている。
【００２４】
チューナ１１は、例えばアンテナ２２と接続されており、マイコン１８から入力される制御信号に従って、アンテナ２２で受信されるテレビジョン放送信号の中から１つのチャンネル（例えばユーザによって選局されたチャンネル）に対応するテレビジョン放送信号を取得してフロントエンド１２に出力する。
【００２５】
フロントエンド１２は、例えばマイコン１８から入力される制御信号に従って、チューナ１１から出力されたテレビジョン放送信号を中間周波信号に変換して、デコーダ１３に出力する。
【００２６】
デコーダ１３は、例えばマイコン１８から入力される制御信号に従って、フロントエンド１２から出力された中間周波信号に対して所定のファイル形式（例えばよく知られたＭＰＥＧ−２形式等）に応じた処理を施すことによって、その中間周波信号を音声信号と映像信号とに分離してデコードする。そして、そのデコードした音声信号を音声出力部１５へ出力するとともに、映像信号を画像表示部１６へ出力する。
【００２７】
ＯＳＤ回路１４は、例えばマイコン１８から入力される制御信号に従って、画像表示部１６に所定のＯＳＤ表示（オンスクリーンディスプレイ表示）をさせるためのＯＳＤ表示信号を、デコーダ１３から画像表示部１６へ出力される映像信号に合成する。
【００２８】
音声出力部１５は、例えば音声出力アンプＩＣ１５ａやスピーカ１５ｂなどを有し、音声出力アンプＩＣ１５ａによりデコーダ１３から入力された音声信号に電力増幅等の所定の処理を施して、その音声信号に基づく音声データに応じた音声をスピーカ１５ｂから出力する。
【００２９】
画像表示部１６は、例えばパネル駆動回路１６ａや液晶パネル１６ｂなどを有し、デコーダ１３から出力された映像信号に基づく画像データに応じた画像や、デコーダ１３から出力されてＯＳＤ回路１４によりＯＳＤ表示信号が合成された映像信号に基づく画像データに応じた画像を表示する。
【００３０】
リモコン受信部１７は、例えばリモコン２３から送信された各種信号（制御コマンド）を受信し、それら各種信号に基づく各種データをマイコン１８へ出力する。
【００３１】
リモコン２３は、例えばユーザによって操作され、その操作に応じた各種信号を例えば赤外線或いは電波を用いてリモコン受信部１７へ送信する。
【００３２】
マイコン１８は、例えばＣＰＵ１８ａやＲＡＭ１８ｂやＲＯＭ１８ｃなどを有し、液晶テレビジョン装置１０の動作を制御する。例えば、マイコン１８は、リモコン受信部１７で受信した制御コマンドに基づいて電源のオン／オフ、チャンネルの切換え、音量のアップ／ダウン等を制御する。また、マイコン１８は、電源回路１９のオン・オフを指令する信号として、スタンバイ時にはローとされ且つ電源オン時にはハイとされる電源オン信号（Ｐ−ＯＮ信号）を出力する。
尚、上記スタンバイ時とは、例えば電源回路１９のメイン電源のオン状態であってマイコン１８やリモコン受信部１７等にのみ電源が供給されてユーザによる各種操作（例えば電源オン操作等）の受付を待ち受けていたり予約プログラムに従って待機している等の待機状態である。また、上記電源オン時とは、例えばチューナ１１等にも電源が供給されて液晶パネル１６ｂに映像を表示したりスピーカ１５ｂから音声を出力している等の通常作動状態である。
【００３３】
ＣＰＵ１８ａは、ＲＯＭ１８ｃに記憶された液晶テレビジョン装置１０用の各種処理プログラムに従って、各種の制御動作を行う。
ＲＡＭ１８ｂは、ＣＰＵ１８ａによって実行される処理プログラムなどを展開するためのプログラム格納領域や、入力データや上記処理プログラムが実行される際に生じる処理結果などを格納するデータ格納領域などを備える。
ＲＯＭ１８ｃは、液晶テレビジョン装置１０で実行可能なシステムプログラム、そのシステムプログラムで実行可能な各種処理プログラム、これら各種処理プログラムを実行する際に使用されるデータなどを記憶する。尚、プログラムは、コンピュータが読み取り可能なプログラムコードの形でＲＯＭ１８ｃに記憶されている。
【００３４】
電源回路１９は、例えば部分共振電源回路であり、商用ＡＣ電源を複数種類の所定の電圧に変換して液晶テレビジョン装置１０の各部へ動作電源電圧を出力する。
【００３５】
記憶部２０は、例えばＥＥＰＲＯＭ等の不揮発性半導体メモリで構成されており、放送信号に対応するチャンネル情報やユーザにより設定された各種調整値等を記憶する。
【００３６】
（２）電源回路の概略回路構成
図３は、液晶テレビジョン装置１０が備える電源回路１９の概略の回路構成を例示する図である。図３において、電源回路１９は、例えば外部の例えば商用ＡＣ電源を整流ブリッジ３２ａにて全波整流しコンデンサ３２ｂにて平滑化して一次側電圧Ｖａを出力する整流回路３２と、一次コイル３３ａに入力された一次側電圧Ｖａを所定の巻数比となった二次コイル３３ｂにて所定の電圧に変換して二次側にエネルギー（交流）を伝達するトランス３３と、上記二次側に伝達された交流をダイオードＤｂ及びコンデンサＣｂにて整流及び平滑化して二次側電圧Ｖｂを出力する平滑回路３４と、フォトカプラ３５ｂを介して二次側電圧Ｖｂに基づくフィードバック信号を一次側へ出力するフィードバック回路３５と、フィードバック回路３５からのフィードバック信号に基づいてスイッチングすることにより一次側電圧Ｖａを制御するスイッチング回路３６と、スタンバイ時のみ、例えば二次側電圧Ｖｂの出力ラインＬｖｂを抵抗Ｒ１を介して二次側電圧Ｖｂよりも電圧が低い低圧ラインとしてのグランドラインＧＮＤに接続するスイッチ素子としてのトランジスタ３７とを備える構成とされている。
【００３７】
より具体的には、フィードバック回路３５は、例えば一端が二次側電圧Ｖｂの出力ラインＬｖｂに接続され且つ他端がグランドラインＧＮＤに接続される分割抵抗Ｒ２と、
コレクタとベースが分割抵抗Ｒ２の分割点Ｐｓに接続され且つエミッタが抵抗Ｒ１を介して二次側電圧Ｖｂの出力ラインＬｖｂとツェナーダイオードＺＤ１を介してグランドラインＧＮＤとに接続され、二次側電圧Ｖｂに基づいて作動するトランジスタ３５ａと、
一端が抵抗Ｒ３を介して二次側電圧Ｖｂの出力ラインＬｖｂに接続され且つ他端がトランジスタ３５ａのコレクタに接続される発光素子例えば発光ダイオードＬＥＤ１、およびスイッチング回路３６に接続される受光素子例えばフォトトランジスタＰＴＲ１を有するフォトカプラ３５ｂとを備え、二次側電圧Ｖｂが所定電圧を超えるとトランジスタ３５ａがオンさせられてフォトカプラ３５ｂを介してスイッチング回路３６にフィードバック信号を出力する。
スイッチング回路３６は、例えば発振回路を備え、フィードバック回路３５からのフィードバック信号に基づいて所定の二次側電圧Ｖｂが得られるようにＰＷＭ制御によるフィードバック制御を行う。
【００３８】
トランジスタ３７は、例えばエミッタが抵抗Ｒ１を介して二次側電圧Ｖｂの出力ラインＬｖｂとトランジスタ３５ａのエミッタとに接続され、コレクタがグランドラインＧＮＤに接続され、ベースには例えばマイコン１８からの電源オン信号（Ｐ−ＯＮ信号）が入力されるように接続され、電源オン信号がローとされるときにオン状態となるようにその電源オン信号により作動させられるトランジスタである。従って、スタンバイ時には、電源オン信号がローとされることで、二次側電圧Ｖｂの出力ラインＬｖｂを抵抗Ｒ１を介してグランドラインＧＮＤに接続する。
【００３９】
このように電源回路１９が構成されることで、マイコン１８からの電源オン信号がローとされるときにオン状態となるトランジスタ３７により、スタンバイ時のみ二次側電圧Ｖｂの出力ラインＬｖｂが抵抗Ｒ１を介してグランドラインＧＮＤに接続されることから、二次側電圧Ｖｂの出力ラインＬｖｂからグランドラインＧＮＤへも電流が流れることになって二次側電圧Ｖｂの出力ラインＬｖｂからフォトカプラ３５ｂの発光ダイオードＬＥＤ１へ流れる電流が抑制（制限）される。
また、電源オン信号により作動させられるトランジスタ３７を二次側に追加するだけで、スタンバイ時のみ二次側電圧Ｖｂの出力ラインＬｖｂが抵抗Ｒ１を介してグランドラインＧＮＤに適切に接続されて、二次側電圧Ｖｂの出力ラインＬｖｂからグランドラインＧＮＤへも適切に電流を流すことができる。
【００４０】
（３）まとめ
上述のように、本実施例によれば、二次側電圧Ｖｂの出力ラインＬｖｂからグランドラインＧＮＤへも電流が流れることになって二次側電圧Ｖｂの出力ラインＬｖｂからフォトカプラ３５ｂの発光ダイオードＬＥＤ１へ流れる電流が抑制（制限）されるので、発光ダイオードＬＥＤ１の給電電圧すなわち二次側電圧Ｖｂが下げられる。この結果、電源オン時の供給電圧には影響を与えることなく、スタンバイ時の待機消費電力を抑制することができる電源回路１９が提供される。
【００４１】
また、本実施例によれば、電源オン信号により作動させられるトランジスタ３７を二次側に追加するだけで、スタンバイ時のみ二次側電圧Ｖｂの出力ラインＬｖｂが抵抗Ｒ１を介してグランドラインＧＮＤに適切に接続されて、二次側電圧Ｖｂの出力ラインＬｖｂからグランドラインＧＮＤへも適切に電流を流すことができるので、二次側電圧Ｖｂの出力ラインＬｖｂからフォトカプラ３５ｂの発光ダイオードＬＥＤ１へ流れる電流を適切に抑制（制限）してフォトカプラ３５ｂの給電電圧を適切に下げることが可能になり、比較的安価な構成で電源オン時の供給電圧には影響を与えることなく、スタンバイ時の待機消費電力を抑制することができる。
【００４２】
以上、本発明の実施例を図面に基づいて詳細に説明したが、本発明はその他の態様においても適用される。
【００４３】
例えば、前述の実施例では、一次側電圧Ｖａを制御するスイッチング回路３６は他励発振式のスイッチング回路であったが、他励発振式のスイッチング回路に替えて、例えば図４に示すようなトランス３３の一次側に三次コイル３３ｃを備えるよく知られた自励発振式のスイッチング回路３６ｂであっても本発明は適用され得る。
【００４４】
また、前述の実施例では、スイッチ素子としてトランジスタ３７を用いたが、これに限らず、スタンバイ時のみ二次側電圧Ｖｂの出力ラインＬｖｂを抵抗Ｒ１を介してグランドラインＧＮＤに接続可能なスイッチ素子であれば本発明は適用され得る。例えばＭＯＳＦＥＴ等のスイッチ素子であっても良い。
【００４５】
また、前述の実施例では、二次側電圧Ｖｂよりも電圧が低い低圧ラインをグランドラインＧＮＤとしたが、必ずしもグランドラインＧＮＤとしなくとも良い。例えば、電源回路１９の動作に影響がない範囲で二次側電圧Ｖｂよりも電圧が低いラインであれば良い。このようにしても、本発明の一応の効果は得られる。
【００４６】
なお、上述したのはあくまでも一実施形態であり、本発明は当業者の知識に基づいて種々の変更、改良を加えた態様で実施することができる。
【図面の簡単な説明】
【００４７】
【図１】本発明が適用される電源回路を備えた液晶テレビジョン装置の一例を示す斜視図である。
【図２】液晶テレビジョン装置の構成を例示するブロック図である。
【図３】本発明の電源回路の概略の回路構成を例示する図である。
【図４】本発明の電源回路の概略の回路構成を例示する別の図である。
【図５】従来の電源回路の概略の回路構成を例示する図である。
【符号の説明】
【００４８】
１０：液晶テレビジョン装置（薄型テレビジョン装置）
１８：マイコン
１９：電源回路
３３：トランス
３３ａ：一次コイル
３３ｂ：二次コイル
３４：平滑回路
３５：フィードバック回路
３５ａ：トランジスタ
３５ｂ：フォトカプラ
３６、３６ｂ：スイッチング回路
３７：トランジスタ（スイッチ素子）
Ｃｂ：コンデンサ
ＬＥＤ１：発光ダイオード（発光素子）
Ｌｖｂ：出力ライン
ＧＮＤ：グランドライン（低圧ライン） 
【図１】
2009050115.tif 000003
【図２】
2009050115.tif 000004
【図３】
2009050115.tif 000005
【図４】
2009050115.tif 000006
【図５】
2009050115.tif 000007